(57)【要約】【課題】高温環境下において冷媒の圧力が過度に上昇することを抑制する。【解決手段】冷媒を吸入して吐出する圧縮機２１と、第１熱媒体を吸入して吐出する第１ポンプ１１と、圧縮機２１から吐出された高圧冷媒と第１熱媒体とを熱交換させて第１熱媒体を加熱する高圧側熱交換器１５と、第１熱媒体と外気とを熱交換する熱媒体外気熱交換器１３と、圧縮機２１および第１ポンプ１１の作動を制御する制御手段４０とを備え、制御手段４０は、圧縮機２１の起動要求があった場合、まず第１ポンプ１１を起動し、第１熱媒体の温度Ｔ１が第１所定値α１以下であると判定または推定した場合、圧縮機２１を起動する。【選択図】図３
2015044569.tif 000002
【特許請求の範囲】
【請求項１】
冷媒を吸入して吐出する圧縮機（２１）と、
第１熱媒体を吸入して吐出する第１ポンプ（１１）と、
前記圧縮機（２１）から吐出された高圧冷媒と前記第１熱媒体とを熱交換させて前記第１熱媒体を加熱する高圧側熱交換器（１５）と、
前記第１熱媒体と外気とを熱交換する熱媒体外気熱交換器（１３）と、
前記圧縮機（２１）および前記第１ポンプ（１１）の作動を制御する制御手段（４０）とを備え、
前記制御手段（４０）は、前記圧縮機（２１）の起動要求があった場合、まず前記第１ポンプ（１１）を起動し、その後、前記第１熱媒体の温度（Ｔ１）が第１所定値（α１）以下であると判定または推定した場合、前記圧縮機（２１）を起動することを特徴とする車両用冷凍サイクル装置。
【請求項２】
車室内へ向かって流れる送風空気を発生する送風機（１８）と、
前記高圧側熱交換器（１５）で熱交換された前記高圧冷媒を減圧させる減圧手段（２２）と、
前記減圧手段（２２）で減圧された低圧冷媒の冷熱を利用して前記送風空気を冷却する空気冷却手段（１４、１６、４０）とを備え、
前記制御手段（４０）は、前記圧縮機（２１）を起動した後、前記低圧冷媒の温度（ＴＲ２）が第２所定値（α２）以下であると判定または推定した場合、前記送風機（１８）を起動することを特徴とする請求項１に記載の車両用冷凍サイクル装置。
【請求項３】
車室内へ向かって流れる送風空気を発生する送風機（１８）と、
第２熱媒体を吸入して吐出する第２ポンプ（１２）と、
前記減圧手段（２２）で減圧された前記低圧冷媒と前記第２熱媒体とを熱交換させて前記第２熱媒体を冷却する低圧側熱交換器（１４）と、
前記低圧側熱交換器（１４）で冷却された前記第２熱媒体と前記送風空気とを熱交換させて前記送風空気を冷却する空気冷却用熱交換器（１６）とを備えることを特徴とする請求項１に記載の車両用冷凍サイクル装置。
【請求項４】
前記制御手段（４０）は、前記圧縮機（２１）を起動した後、前記第２熱媒体の温度（Ｔ２）が第２所定値（α２）以下であると判定または推定した場合、前記送風機（１８）を起動することを特徴とする請求項３に記載の車両用冷凍サイクル装置。
【請求項５】
前記第２熱媒体が前記空気冷却用熱交換器（１６）をバイパスして流れるバイパス流路（２６）と、
前記空気冷却用熱交換器（１６）を流れる前記第２熱媒体と、前記バイパス流路（２６）を流れる前記第２熱媒体との流量割合を調整する熱媒体流量割合調整手段（５５、５６）とを備え、
前記制御手段（４０）は、前記圧縮機（２１）を起動した後、前記第２熱媒体の温度（Ｔ２）が第２所定値（α２）未満であると判定または推定した場合、前記第２熱媒体の温度（Ｔ２）が前記第２所定値（α２）以上であると判定または推定した場合と比較して、前記バイパス流路（２６）を流れる前記第２熱媒体の流量割合が増加するように前記熱媒体流量割合調整手段（５５、５６）の作動を制御することを特徴とする請求項３または４に記載の車両用冷凍サイクル装置。
【請求項６】
車両のイグニッションスイッチがオフされている状態、および車両のエンジンが停止している状態のうち少なくとも一方の状態である場合において、前記制御手段（４０）は、前記第１熱媒体の温度（Ｔ１）が第３所定値（α３）以上であると判定または推定した場合、まず前記第１ポンプ（１１）を起動し、その後、前記第１熱媒体の温度（Ｔ１）が、前記第３所定値（α３）よりも小さい第４所定値（α４）以下であると判定または推定した場合、前記第１ポンプ（１１）を停止することを特徴とする請求項１ないし５のいずれか１つに記載の車両用冷凍サイクル装置。
【請求項７】
前記制御手段（４０）は、車両のイグニッションスイッチがオンされ、車両のエンジンが作動し、かつ前記圧縮機（２１）が停止している状態において、前記第１熱媒体の温度（Ｔ１）が第５所定値（α５）以上であると判定または推定した場合、前記第１ポンプ（１１）を起動することを特徴とする請求項１ないし６のいずれか１つに記載の車両用冷凍サイクル装置。
【請求項８】
冷媒を吸入して吐出する圧縮機（２１）と、
第１熱媒体を吸入して吐出する第１ポンプ（１１）と、
前記圧縮機（２１）から吐出された高圧冷媒と前記第１熱媒体とを熱交換させて前記第１熱媒体を加熱する高圧側熱交換器（１５）と、
前記第１熱媒体と外気とを熱交換する熱媒体外気熱交換器（１３）と、
前記圧縮機（２１）および前記第１ポンプ（１１）の作動を制御する制御手段（４０）とを備え、
車両のイグニッションスイッチがオフされている状態、および車両のエンジンが停止している状態のうち少なくとも一方の状態である場合において、前記制御手段（４０）は、前記第１熱媒体の温度（Ｔ１）が第３所定値（α３）以上であると判定または推定した場合、まず前記第１ポンプ（１１）を起動し、その後、前記第１熱媒体の温度（Ｔ１）が前記第３所定値（α３）よりも小さい第４所定値（α４）以下であると判定または推定した場合、前記第１ポンプ（１１）を停止することを特徴とする車両用冷凍サイクル装置。
【請求項９】
前記熱媒体外気熱交換器（１３）に外気を送風する外気送風機（１７）を備え、
前記制御手段（４０）は、前記第１ポンプ（１１）を起動させる際、前記外気送風機（１７）も起動させることを特徴とする請求項１ないし８のいずれか１つに記載の車両用冷凍サイクル装置。
【請求項１０】
冷媒を吸入して吐出する圧縮機（２１）と、
前記圧縮機（２１）から吐出された高圧冷媒を熱交換させる高圧側熱交換器（１５）と、
熱媒体を吸入して吐出するポンプ（１２）と、
前記減圧手段（２２）で減圧された前記低圧冷媒と前記熱媒体とを熱交換させて前記熱媒体を冷却する低圧側熱交換器（１４）と、
車室内へ向かって流れる送風空気を発生する送風機（１８）と、
前記低圧側熱交換器（１４）で冷却された前記熱媒体と前記送風空気とを熱交換させて前記送風空気を冷却する空気冷却用熱交換器（１６）と、
前記圧縮機（２１）および前記ポンプ（１２）の作動を制御する制御手段（４０）とを備え、
前記制御手段（４０）は、前記圧縮機（２１）の起動要求があった場合、まず前記圧縮機（２１）を起動し、その後、前記熱媒体の温度（Ｔ２）が所定値（α２）以下であると判定または推定した場合、前記送風機（１８）を起動することを特徴とする車両用冷凍サイクル装置。
【請求項１１】
冷媒を吸入して吐出する圧縮機（２１）と、
熱媒体を吸入して吐出する第１ポンプ（１１）および第２ポンプ（１２）と、
前記圧縮機（２１）から吐出された高圧冷媒と前記熱媒体とを熱交換させて前記熱媒体を加熱する高圧側熱交換器（１５）と、
前記熱媒体と外気とを熱交換する熱媒体外気熱交換器（１３）と、
前記熱媒体外気熱交換器（１３）を前記第１ポンプ（１１）と前記第２ポンプ（１２）とに切替接続する切替手段（５５、５６）と、
前記圧縮機（２１）、前記第１ポンプ（１１）および前記第２ポンプ（１２）の作動を制御する制御手段（４０）とを備え、
前記制御手段（４０）は、前記圧縮機（２１）の起動要求があった場合、まず前記第１ポンプ（１１）および前記第２ポンプ（１２）のうち前記熱媒体外気熱交換器（１３）に接続されているポンプを起動し、その後、前記熱媒体の温度（Ｔ１）が第１所定値（α１）以下であると判定または推定した場合、前記圧縮機（２１）を起動することを特徴とする車両用冷凍サイクル装置。
【請求項１２】
車室内へ向かって流れる送風空気を発生する送風機（１８）と、
前記高圧側熱交換器（１５）で熱交換された前記高圧冷媒を減圧させる減圧手段（２２）と、
前記減圧手段（２２）で減圧された低圧冷媒の冷熱を利用して前記送風空気を冷却する空気冷却手段（１４、１６、４０）とを備え、
前記制御手段（４０）は、前記圧縮機（２１）を起動した後、前記低圧冷媒の温度（ＴＲ２）が第２所定値（α２）以下であると判定または推定した場合、前記送風機（１８）を起動することを特徴とする請求項１１に記載の車両用冷凍サイクル装置。
【請求項１３】
車両のイグニッションスイッチがオフされている状態、および車両のエンジンが停止している状態のうち少なくとも一方の状態である場合において、
前記制御手段（４０）は、
前記第１ポンプ（１１）によって循環される前記熱媒体の温度（Ｔ１）、前記第２ポンプ（１２）によって循環される前記熱媒体の温度（Ｔ２）、前記冷媒の温度、および前記冷媒の圧力のうち１つの物理量が第３所定値（α３）以上であると判定または推定した場合、まず前記第１ポンプ（１１）および前記第２ポンプ（１２）のうち少なくとも１つのポンプを起動し、
その後、前記１つの物理量が、前記第３所定値（α３）よりも小さい第４所定値（α４）以下であると判定または推定した場合、前記少なくとも１つのポンプを停止することを特徴とする請求項１１または１２に記載の車両用冷凍サイクル装置。
【請求項１４】
前記制御手段（４０）は、車両のイグニッションスイッチがオンされており、車両のエンジンが作動しており、かつ前記圧縮機（２１）が停止している状態において、前記第１ポンプ（１１）によって循環される前記熱媒体の温度（Ｔ１）、前記第２ポンプ（１２）によって循環される前記熱媒体の温度（Ｔ２）、前記冷媒の温度、および前記冷媒の圧力のうち１つの物理量が第５所定値（α５）以上であると判定または推定した場合、前記第１ポンプ（１１）および前記第２ポンプ（１２）のうち前記熱媒体外気熱交換器（１３）に接続されているポンプを起動することを特徴とする請求項１１ないし１３のいずれか１つに記載の車両用冷凍サイクル装置。
【請求項１５】
冷媒を吸入して吐出する圧縮機（２１）と、
熱媒体を吸入して吐出する第１ポンプ（１１）および第２ポンプ（１２）と、
前記圧縮機（２１）から吐出された高圧冷媒と前記熱媒体とを熱交換させて前記熱媒体を加熱する高圧側熱交換器（１５）と、
前記熱媒体と外気とを熱交換する熱媒体外気熱交換器（１３）と、
前記熱媒体外気熱交換器（１３）を前記第１ポンプ（１１）と前記第２ポンプ（１２）とに切替接続する切替手段（５５、５６）と、
前記圧縮機（２１）、前記第１ポンプ（１１）および前記第２ポンプ（１２）の作動を制御する制御手段（４０）とを備え、
車両のイグニッションスイッチがオフされている状態、および車両のエンジンが停止している状態のうち少なくとも一方の状態である場合において、前記制御手段（４０）は、前記熱媒体の温度（Ｔ１）が第３所定値（α３）以上であると判定または推定した場合、まず前記第１ポンプ（１１）および前記第２ポンプ（１２）のうち前記熱媒体外気熱交換器（１３）に接続されているポンプを起動し、その後、前記熱媒体の温度（Ｔ１）が前記第３所定値（α３）よりも小さい第４所定値（α４）以下であると判定または推定した場合、前記第１ポンプ（１１）および前記第２ポンプ（１２）のうち前記熱媒体外気熱交換器（１３）に接続されているポンプを停止することを特徴とする車両用冷凍サイクル装置。
【請求項１６】
前記熱媒体外気熱交換器（１３）に外気を送風する外気送風機（１７）を備え、
前記制御手段（４０）は、前記第１ポンプ（１１）および前記第２ポンプ（１２）のうち前記熱媒体外気熱交換器（１３）に接続されているポンプを起動させる際、前記外気送風機（１７）も起動させることを特徴とする請求項１１ないし１５のいずれか１つに記載の車両用冷凍サイクル装置。
【請求項１７】
冷媒を吸入して吐出する圧縮機（２１）と、
熱媒体を吸入して吐出するポンプ（１１、１２）と、
前記圧縮機（２１）から吐出された高圧冷媒と前記熱媒体とを熱交換させて前記熱媒体を加熱する高圧側熱交換器（１５）と、
前記熱媒体と外気とを熱交換する熱媒体外気熱交換器（１３）と、
前記圧縮機（２１）および前記ポンプ（１１、１２）の作動を制御する制御手段（４０）とを備え、
前記制御手段（４０）は、前記圧縮機（２１）の起動要求があった場合、まず前記圧縮機（２１）を起動し、その後、前記熱媒体の温度（Ｔ１）が第１所定値（α１）以上であると判定または推定した場合、前記圧縮機（２１）を停止させるとともに前記ポンプ（１１、１２）を起動し、さらにその後、前記熱媒体の温度（Ｔ１）が前記第１所定値（α１）以下であると判定または推定した場合、再び前記圧縮機（２１）を起動することを特徴とする車両用冷凍サイクル装置。
【発明の詳細な説明】
【技術分野】
【０００１】
本発明は、車両に用いられる冷凍サイクル装置に関する。
【背景技術】
【０００２】
従来、特許文献１には、冷媒と冷却水とを熱交換させる水冷コンデンサを備える車両用ヒートポンプシステムが記載されている。
【０００３】
この従来技術では、ウォータポンプを通じて冷却ラインに沿って冷却水を循環させ、ラジエータで冷却水を外気との熱交換を通じて冷却させる。
【先行技術文献】
【特許文献】
【０００４】
【特許文献１】特開２０１２−２０１３６０号公報
【発明の概要】
【発明が解決しようとする課題】
【０００５】
上記従来技術では、例えば夏季の炎天下に車両を長時間停車した場合のような高温環境下では、冷却ラインの冷却水が高温になる。この状態で圧縮機を起動して冷媒を循環させると、水冷コンデンサで冷媒と高温の冷却水とが熱交換されて冷媒の温度および圧力が過度に上昇してしまい、機器の耐久性に悪影響を及ぼす。
【０００６】
しかも、冷却ラインの冷却水の熱容量が大きいので、冷却水の温度を早期に低下させるのが困難であり、ひいては冷媒の温度および圧力を早期に低下させるのが困難である。
【０００７】
本発明は上記点に鑑みて、高温環境下において冷媒の圧力が過度に上昇することを抑制することを目的とする。
【０００８】
本発明は上記点に鑑みて、高温環境下において、ほとんど冷却されていない緩い空気が車室内に吹き出されて乗員が不快になることを抑制することを目的とする。
【課題を解決するための手段】
【０００９】
上記目的を達成するため、請求項１に記載の発明では、
冷媒を吸入して吐出する圧縮機（２１）と、
第１熱媒体を吸入して吐出する第１ポンプ（１１）と、
圧縮機（２１）から吐出された高圧冷媒と第１熱媒体とを熱交換させて第１熱媒体を加熱する高圧側熱交換器（１５）と、
第１熱媒体と外気とを熱交換する熱媒体外気熱交換器（１３）と、
圧縮機（２１）および第１ポンプ（１１）の作動を制御する制御手段（４０）とを備え、
制御手段（４０）は、圧縮機（２１）の起動要求があった場合、まず第１ポンプ（１１）を起動し、その後、第１熱媒体の温度（Ｔ１）が第１所定値（α１）以下であると判定または推定した場合、圧縮機（２１）を起動することを特徴とする。
【００１０】
これによると、圧縮機（２１）の起動要求があった場合、まず第１ポンプ（１１）を起動するので、熱媒体外気熱交換器（１３）で第１熱媒体と外気とを熱交換させて第１熱媒体を冷却することができる。
【００１１】
そして、第１熱媒体の温度（Ｔ１）が第１所定値（α１）以下であると判定または推定した場合、圧縮機（２１）を起動するので、高圧側熱交換器（１５）では、熱媒体外気熱交換器（１３）で十分に冷却された第１熱媒体が冷媒と熱交換される。したがって、高温環境下において冷媒の温度および圧力が過度に上昇することを抑制できる。
【００１２】
上記目的を達成するため、請求項８に記載の発明では、
冷媒を吸入して吐出する圧縮機（２１）と、
第１熱媒体を吸入して吐出する第１ポンプ（１１）と、
圧縮機（２１）から吐出された高圧冷媒と第１熱媒体とを熱交換させて第１熱媒体を加熱する高圧側熱交換器（１５）と、
第１熱媒体と外気とを熱交換する熱媒体外気熱交換器（１３）と、
圧縮機（２１）および第１ポンプ（１１）の作動を制御する制御手段（４０）とを備え、
車両のイグニッションスイッチがオフされている状態、および車両のエンジンが停止している状態のうち少なくとも一方の状態である場合において、制御手段（４０）は、第１熱媒体の温度（Ｔ１）が第３所定値（α３）以上であると判定または推定した場合、まず第１ポンプ（１１）を起動し、その後、第１熱媒体の温度（Ｔ１）が第３所定値（α３）よりも小さい第４所定値（α４）以下であると判定または推定した場合、第１ポンプ（１１）を停止することを特徴とする。
【００１３】
これによると、高温環境下において、車両のイグニッションスイッチがオフされている状態や、車両のエンジンが停止している状態で第１熱媒体の温度（Ｔ１）が過剰に上昇することを抑制できるので、冷媒の温度および圧力が過度に上昇することを抑制できる。
【００１４】
上記目的を達成するため、請求項１０に記載の発明では、
冷媒を吸入して吐出する圧縮機（２１）と、
圧縮機（２１）から吐出された高圧冷媒を熱交換させる高圧側熱交換器（１５）と、
熱媒体を吸入して吐出するポンプ（１２）と、
減圧手段（２２）で減圧された低圧冷媒と熱媒体とを熱交換させて熱媒体を冷却する低圧側熱交換器（１４）と、
車室内へ向かって流れる送風空気を発生する送風機（１８）と、
低圧側熱交換器（１４）で冷却された熱媒体と送風空気とを熱交換させて送風空気を冷却する空気冷却用熱交換器（１６）と、
圧縮機（２１）およびポンプ（１２）の作動を制御する制御手段（４０）とを備え、
制御手段（４０）は、圧縮機（２１）の起動要求があった場合、まず圧縮機（２１）を起動し、その後、熱媒体の温度（Ｔ２）が所定値（α２）以下であると判定または推定した場合、送風機（１８）を起動することを特徴とする。
【００１５】
これによると、低圧冷媒がある程度低温になってから送風機（１８）を起動するので、送風機（１８）を起動した際には、低圧側熱交換器（１４）である程度冷却された熱媒体が、空気冷却用熱交換器（１６）で車室内への送風空気をある程度冷却する。したがって、ほとんど冷却されていない緩い空気が車室内に吹き出されて乗員が不快になることを抑制できる。
【００１６】
上記目的を達成するため、請求項１１に記載の発明では、
冷媒を吸入して吐出する圧縮機（２１）と、
熱媒体を吸入して吐出する第１ポンプ（１１）および第２ポンプ（１２）と、
圧縮機（２１）から吐出された高圧冷媒と熱媒体とを熱交換させて熱媒体を加熱する高圧側熱交換器（１５）と、
熱媒体と外気とを熱交換する熱媒体外気熱交換器（１３）と、
熱媒体外気熱交換器（１３）を第１ポンプ（１１）と第２ポンプ（１２）とに切替接続する切替手段（５５、５６）と、
圧縮機（２１）、第１ポンプ（１１）および第２ポンプ（１２）の作動を制御する制御手段（４０）とを備え、
制御手段（４０）は、圧縮機（２１）の起動要求があった場合、まず第１ポンプ（１１）および第２ポンプ（１２）のうち熱媒体外気熱交換器（１３）に接続されているポンプを起動し、その後、熱媒体の温度（Ｔ１）が第１所定値（α１）以下であると判定または推定した場合、圧縮機（２１）を起動することを特徴とする。
【００１７】
これによると、上記請求項１に記載の発明と同様に、高温環境下において冷媒の温度および圧力が過度に上昇することを抑制できる。
【００１８】
上記目的を達成するため、請求項１５に記載の発明では、
冷媒を吸入して吐出する圧縮機（２１）と、
熱媒体を吸入して吐出する第１ポンプ（１１）および第２ポンプ（１２）と、
圧縮機（２１）から吐出された高圧冷媒と熱媒体とを熱交換させて熱媒体を加熱する高圧側熱交換器（１５）と、
熱媒体と外気とを熱交換する熱媒体外気熱交換器（１３）と、
熱媒体外気熱交換器（１３）を第１ポンプ（１１）と第２ポンプ（１２）とに切替接続する切替手段（５５、５６）と、
圧縮機（２１）、第１ポンプ（１１）および第２ポンプ（１２）の作動を制御する制御手段（４０）とを備え、
車両のイグニッションスイッチがオフされている状態、および車両のエンジンが停止している状態のうち少なくとも一方の状態である場合において、制御手段（４０）は、熱媒体の温度（Ｔ１）が第３所定値（α３）以上であると判定または推定した場合、まず第１ポンプ（１１）および第２ポンプ（１２）のうち熱媒体外気熱交換器（１３）に接続されているポンプを起動し、その後、熱媒体の温度（Ｔ１）が第３所定値（α３）よりも小さい第４所定値（α４）以下であると判定または推定した場合、第１ポンプ（１１）および第２ポンプ（１２）のうち熱媒体外気熱交換器（１３）に接続されているポンプを停止することを特徴とする。
【００１９】
これによると、上記請求項８に記載の発明と同様に、高温環境下において、車両のイグニッションスイッチがオフされている状態や、車両のエンジンが停止している状態で熱媒体の温度（Ｔ１）が過剰に上昇することを抑制できるので、冷媒の温度および圧力が過度に上昇することを抑制できる。
【００２０】
上記目的を達成するため、請求項１７に記載の発明では、
冷媒を吸入して吐出する圧縮機（２１）と、
熱媒体を吸入して吐出するポンプ（１１、１２）と、
圧縮機（２１）から吐出された高圧冷媒と熱媒体とを熱交換させて熱媒体を加熱する高圧側熱交換器（１５）と、
熱媒体と外気とを熱交換する熱媒体外気熱交換器（１３）と、
圧縮機（２１）およびポンプ（１１、１２）の作動を制御する制御手段（４０）とを備え、
制御手段（４０）は、圧縮機（２１）の起動要求があった場合、まず圧縮機（２１）を起動し、その後、熱媒体の温度（Ｔ１）が第１所定値（α１）以上であると判定または推定した場合、圧縮機（２１）を停止させるとともにポンプ（１１、１２）を起動し、さらにその後、熱媒体の温度（Ｔ１）が第１所定値（α１）以下であると判定または推定した場合、再び圧縮機（２１）を起動することを特徴とする。
【００２１】
これによると、圧縮機（２１）の起動要求があった場合に直ちに圧縮機（２１）を起動しても、熱媒体の温度（Ｔ１）が高ければ圧縮機（２１）を停止させるとともにポンプ（１１、１２）を起動して熱媒体を冷却する。
【００２２】
そして、熱媒体の温度（Ｔ１）が第１所定値（α１）以下であると判定または推定した場合、圧縮機（２１）を起動するので、上記請求項１に記載の発明と同様に、高温環境下において冷媒の温度および圧力が過度に上昇することを抑制できる。
【００２３】
なお、この欄および特許請求の範囲で記載した各手段の括弧内の符号は、後述する実施形態に記載の具体的手段との対応関係を示すものである。
【図面の簡単な説明】
【００２４】
【図１】第１実施形態における車両用冷凍サイクル装置の全体構成図である。
【図２】第１実施形態における車両用冷凍サイクル装置の電気制御部を示すブロック図である。
【図３】第１実施形態における車両用冷凍サイクル装置の制御装置が実行する制御処理を示すフローチャートである。
【図４】第２実施形態における車両用冷凍サイクル装置の制御装置が実行する制御処理を示すフローチャートである。
【図５】第３実施形態における車両用冷凍サイクル装置の全体構成図である。
【図６】第４実施形態における車両用冷凍サイクル装置の制御装置が実行する制御処理を示すフローチャートである。
【図７】第５実施形態における車両用冷凍サイクル装置の全体構成図である。
【図８】第５実施形態における車両用冷凍サイクル装置の電気制御部を示すブロック図である。
【図９】第５実施形態における車両用冷凍サイクル装置の制御装置が実行する制御処理を示すフローチャートである。
【図１０】第６実施形態における車両用冷凍サイクル装置の制御装置が実行する制御処理を示すフローチャートである。
【発明を実施するための形態】
【００２５】
以下、実施形態について図に基づいて説明する。なお、以下の各実施形態相互において、互いに同一もしくは均等である部分には、図中、同一符号を付してある。
【００２６】
（第１実施形態）
図１に示す車両用冷凍サイクル装置１０は、車室内を適切な温度に調整する車両用空調装置を構成している。本実施形態では、車両用冷凍サイクル装置１０を、エンジン（内燃機関）および走行用電動モータから車両走行用の駆動力を得るハイブリッド自動車に適用している。
【００２７】
本実施形態のハイブリッド自動車は、車両停車時に外部電源（商用電源）から供給された電力を、車両に搭載された電池（車載バッテリ）に充電可能なプラグインハイブリッド自動車として構成されている。電池としては、例えばリチウムイオン電池を用いることができる。
【００２８】
エンジンから出力される駆動力は、車両走行用として用いられるのみならず、発電機を作動させるためにも用いられる。そして、発電機にて発電された電力および外部電源から供給された電力を電池に蓄わえることができ、電池に蓄えられた電力は、走行用電動モータのみならず、車両用冷凍サイクル装置１０を構成する電動式構成機器をはじめとする各種車載機器に供給される。
【００２９】
図１に示すように、車両用冷凍サイクル装置１０は、第１ポンプ１１、第２ポンプ１２、ラジエータ１３、冷却水冷却器１４、冷却水加熱器１５およびクーラコア１６を備えている。
【００３０】
第１ポンプ１１および第２ポンプ１２は、冷却水を吸入して吐出するポンプであり、例えば電動ポンプで構成されている。冷却水は、熱媒体としての流体である。本実施形態では、冷却水として、少なくともエチレングリコール、ジメチルポリシロキサンもしくはナノ流体を含む液体、または不凍液体が用いられている。
【００３１】
ラジエータ１３、冷却水冷却器１４、冷却水加熱器１５およびクーラコア１６は、冷却水が流通する冷却水流通機器（熱媒体流通機器）である。
【００３２】
ラジエータ１３は、冷却水と外気（車室外空気）とを熱交換する冷却水外気熱交換器（熱媒体外気熱交換器）である。ラジエータ１３には、室外送風機１７によって外気が送風される。
【００３３】
室外送風機１７は、ラジエータ１３に外気を送風する外気送風機（送風手段）である。例えば、室外送風機１７は、送風ファンを電動モータ（ブロワモータ）にて駆動する電動送風機である。
【００３４】
ラジエータ１３および室外送風機１７は車両の最前部に配置されている。このため、車両の走行時にはラジエータ１３に走行風を当てることができる。
【００３５】
ラジエータ１３は冷却水の熱を外気に放熱させる放熱用熱交換器として機能する。ラジエータ１３を流れる冷却水が外気よりも低温になっている場合、ラジエータ１３は冷却水に外気の熱を吸熱させる吸熱用熱交換器として機能する。
【００３６】
冷却水冷却器１４は、冷媒回路２０（冷凍サイクル）の低圧側冷媒と冷却水とを熱交換させることによって冷却水を冷却する低圧側熱交換器（熱媒体冷却器）である。冷却水冷却器１４では冷却水を外気の温度よりも低温に冷却することができる。
【００３７】
冷却水加熱器１５は、冷媒回路２０の高圧側冷媒と冷却水とを熱交換させることによって冷却水を加熱する高圧側熱交換器（熱媒体加熱器）である。冷却水加熱器１５では冷却水を外気の温度よりも高温に加熱することができる。
【００３８】
冷媒回路２０は、圧縮機２１、冷却水加熱器１５、膨張弁２２および冷却水冷却器１４を備える蒸気圧縮式冷凍機である。本実施形態の冷媒回路２０では、冷媒としてフロン系冷媒を用いており、高圧側冷媒圧力が冷媒の臨界圧力を超えない亜臨界冷凍サイクルを構成している。
【００３９】
圧縮機２１は、電池から供給される電力によって駆動される電動圧縮機、またはベルトによって駆動される可変容量圧縮機であり、冷媒回路２０の冷媒を吸入して圧縮して吐出する。
【００４０】
冷却水加熱器１５は、圧縮機２１から吐出された高圧側冷媒と冷却水とを熱交換させることによって高圧側冷媒を凝縮させる凝縮器である。膨張弁２２は、冷却水加熱器１５から流出した液相冷媒を減圧膨張させる減圧手段である。
【００４１】
冷却水冷却器１４は、膨張弁２２で減圧膨張された低圧冷媒と冷却水とを熱交換させることによって低圧冷媒を蒸発させる蒸発器である。冷却水冷却器１４で蒸発した気相冷媒は圧縮機２１に吸入されて圧縮される。
【００４２】
クーラコア１６は、冷却水と車室内への送風空気とを熱交換させて車室内への送風空気を冷却する冷却水空気熱交換器である。換言すれば、クーラコア１６は、圧縮機２１から吐出された冷媒の熱量の少なくとも一部を用いて空気を冷却する空気冷却用熱交換器である。
【００４３】
冷却水冷却器１４およびクーラコア１６は、膨張弁２２で減圧された低圧冷媒の冷熱を利用して車室内への送風空気を冷却する空気冷却手段である。
【００４４】
クーラコア１６には、室内送風機１８によって内気(車室内空気)、外気、または内気と外気との混合空気が送風される。
【００４５】
室内送風機１８は、車室内へ向かって流れる送風空気を発生する送風機（送風手段）である。例えば、室内送風機１８は、遠心多翼ファン（シロッコファン）を電動モータ（ブロワモータ）にて駆動する電動送風機である。室内送風機１８は、クーラコア１６を通過する空気の流量を調整する空気流量調整手段である。
【００４６】
クーラコア１６および室内送風機１８は、室内空調ユニット３０のケーシング３１に収容されている。室内空調ユニット３０は、車室内最前部の計器盤（インストルメントパネル）の内側に配置されている。ケーシング３１は、室内空調ユニットの外殻を形成している。
【００４７】
ケーシング３１は、車室内への送風空気が流れる空気通路を形成しており、ある程度の弾性を有し、強度的にも優れた樹脂（例えば、ポリプロピレン）にて成形されている。
【００４８】
ケーシング３１の内部において、クーラコア１６よりも空気流れ下流側に、ヒータコア（空気加熱器）およびエアミックスドアが配置されていてもよい。
【００４９】
ヒータコアは、車室内への送風空気を加熱する加熱用熱交換器（空気加熱器）である。例えば、ヒータコアは、冷媒回路２０の高圧側冷媒（高温冷媒）や、エンジン冷却水（温水）等を熱源として車室内への送風空気を加熱する。
【００５０】
エアミックスドアは、ヒータコアを流れる空気の流量と、ヒータコアをバイパスして流れる空気の流量との割合を調整して車室内へ吹き出される吹出空気の温度を調整する吹出空気温度調整手段（空気流量割合調整手段）である。
【００５１】
第１ポンプ１１、ラジエータ１３および冷却水加熱器１５は、第１冷却水回路Ｃ１（第１熱媒体回路）に配置されている。第１冷却水回路Ｃ１は、冷却水が第１ポンプ１１→ラジエータ１３→冷却水加熱器１５→第１ポンプ１１の順に循環するように構成されている。
【００５２】
第２ポンプ１２、冷却水冷却器１４およびクーラコア１６は、第２冷却水回路Ｃ２（第２熱媒体回路）に配置されている。第２冷却水回路Ｃ２は、冷却水が第２ポンプ１２→冷却水冷却器１４→クーラコア１６→第２ポンプ１２の順に循環するように構成されている。
【００５３】
図２に示す制御装置４０は、ＣＰＵ、ＲＯＭおよびＲＡＭ等を含む周知のマイクロコンピュータとその周辺回路から構成され、そのＲＯＭ内に記憶された空調制御プログラムに基づいて各種演算、処理を行い、出力側に接続された第１ポンプ１１、第２ポンプ１２、室外送風機１７、室内送風機１８、圧縮機２１等の作動を制御する制御手段である。制御装置４０には、車両のバッテリから電力が供給される。
【００５４】
制御装置４０は、その出力側に接続された各種制御対象機器を制御する制御手段が一体に構成されたものであるが、それぞれの制御対象機器の作動を制御する構成（ハードウェアおよびソフトウェア）が、それぞれの制御対象機器の作動を制御する制御手段を構成している。
【００５５】
制御装置４０のうち第１ポンプ１１の作動を制御する構成（ハードウェアおよびソフトウェア）は、第１冷却水流量制御手段４０ａ（第１熱媒体流量制御手段）を構成している。
【００５６】
制御装置４０のうち第２ポンプ１２の作動を制御する構成（ハードウェアおよびソフトウェア）は、第２冷却水流量制御手段４０ｂ（第２熱媒体流量制御手段）を構成している。
【００５７】
制御装置４０のうち室外送風機１７の作動を制御する構成（ハードウェアおよびソフトウェア）は、室外送風機制御手段４０ｃを構成している。
【００５８】
制御装置４０のうち室内送風機１８の作動を制御する構成（ハードウェアおよびソフトウェア）は、室内送風機制御手段４０ｄを構成している。
【００５９】
制御装置４０のうち圧縮機２１の作動を制御する構成（ハードウェアおよびソフトウェア）は、冷媒流量制御手段４０ｅを構成している。
【００６０】
第１冷却水流量制御手段４０ａ、第２冷却水流量制御手段４０ｂ、室外送風機制御手段４０ｃ、室内送風機制御手段４０ｄおよび冷媒流量制御手段４０ｅは、制御装置４０に対して別体で構成されていてもよい。
【００６１】
制御装置４０の入力側には、内気センサ４１、外気センサ４２、日射センサ４３、第１水温センサ４４、第２水温センサ４５、冷媒温度センサ４６、冷媒圧力センサ４７等のセンサ群の検出信号が入力される。
【００６２】
内気センサ４１は、内気温（車室内温度）を検出する検出手段（内気温度検出手段）である。外気センサ４２は、外気温（車室外温度）を検出する検出手段（外気温度検出手段）である。日射センサ４３は、車室内の日射量を検出する検出手段（日射量検出手段）である。
【００６３】
第１水温センサ４４は、第１冷却水回路Ｃ１を流れる冷却水の温度（例えば冷却水加熱器１５から流出した冷却水の温度）を検出する検出手段（第１熱媒体温度検出手段）である。
【００６４】
第２水温センサ４５は、第２冷却水回路Ｃ２を流れる冷却水の温度（例えば冷却水冷却器１４から流出した冷却水の温度）を検出する検出手段（第２熱媒体温度検出手段）である。
【００６５】
冷媒温度センサ４６は、冷媒回路２０の冷媒温度を検出する検出手段（冷媒温度検出手段）である。冷媒温度センサ４６が検出する冷媒回路２０の冷媒温度は、例えば圧縮機２１から吐出される高圧冷媒の温度、圧縮機２１に吸入される低圧冷媒の温度、膨張弁２２で減圧膨張された低圧冷媒の温度、冷却水冷却器１４で熱交換された低圧冷媒の温度等である。
【００６６】
冷媒圧力センサ４７は、冷媒回路２０の冷媒圧力（例えば圧縮機２１から吐出される高圧冷媒の圧力や、圧縮機２１に吸入される低圧冷媒の圧力）を検出する検出手段（冷媒圧力検出手段）である。
【００６７】
内気温、外気温、冷却水温度、冷媒温度および冷媒圧力を、種々の物理量の検出値に基づいて推定するようにしてもよい。
【００６８】
例えば、第１冷却水回路Ｃ１の冷却水の温度を、冷却水加熱器１５の出口冷媒圧力、圧縮機２１の吐出冷媒圧力、冷媒回路２０の高圧側冷媒の圧力、冷媒回路２０の高圧側冷媒の温度、ラジエータ１３の熱交換フィンの温度、冷却水加熱器１５の熱交換フィンの温度等のうち少なくとも１つに基づいて算出してもよい。
【００６９】
例えば、第２冷却水回路Ｃ２の冷却水の温度を、冷却水冷却器１４の出口冷媒圧力、圧縮機２１の吸入冷媒圧力、冷媒回路２０の低圧側冷媒の圧力、冷媒回路２０の低圧側冷媒の温度、クーラコア１６の熱交換フィンの温度、冷却水冷却器１４の熱交換フィンの温度等のうち少なくとも１つに基づいて算出してもよい。
【００７０】
制御装置４０の入力側には、操作パネル４８からの操作信号が入力される。操作パネル４８は車室内の計器盤付近に配置されており、操作パネル４８には各種操作スイッチが設けられている。操作パネル４８に設けられた各種操作スイッチとしては、空調作動スイッチや車室内温度設定スイッチ等が設けられている。
【００７１】
空調作動スイッチは、車室内空調を行うことを乗員が要求するためのスイッチであり、空調要求信号（すなわち圧縮機起動要求信号）を制御装置４０に出力する。車室内温度設定スイッチは、乗員が希望する車室内温度を設定するスイッチである。
【００７２】
次に、上記構成における作動を説明する。図３は、制御装置４０が実行する制御処理の概要を示すフローチャートである。制御装置４０は、車両のイグニッションスイッチがオンされるとこの制御処理の実行を開始する。
【００７３】
まず、ステップＳ１００では、操作パネル４８に設けられた空調作動スイッチ（Ａ／Ｃスイッチ）がオンされているか否かを判定する。換言すれば、圧縮機２１の起動要求があったか否かを判定する。
【００７４】
空調作動スイッチがオンされていないと判定した場合、ステップＳ１００へ戻る。空調作動スイッチ（Ａ／Ｃスイッチ）がオンされていると判定した場合、ステップＳ１１０へ進み、第１ポンプ１１および室外送風機１７を起動する。これにより、第１冷却水回路Ｃ１の冷却水がラジエータ１３で冷却される。
【００７５】
続くステップＳ１２０では、第１冷却水回路Ｃ１（第１回路）の冷却水の温度Ｔ１が第１所定値α１以下であるか否かを判定する。第１冷却水回路Ｃ１の冷却水の温度Ｔ１が第１所定値α１以下でないと判定した場合、ステップＳ１２０へ戻る。
【００７６】
第１冷却水回路Ｃ１の冷却水の温度Ｔ１が第１所定値α１以下であると判定した場合、ステップＳ１３０へ進み、圧縮機２１および第２ポンプ１２を起動する。これにより、第２冷却水回路Ｃ２の冷却水が冷却水冷却器１４で冷却される。
【００７７】
このとき、冷却水加熱器１５では、第１所定値α１以下に冷却された第１冷却水回路Ｃ１の冷却水が冷媒と熱交換するので、冷媒の温度および圧力が過度に上昇することを抑制できる。
【００７８】
ステップＳ１２０において、冷媒回路２０の高圧側冷媒（高圧冷媒）の温度が所定値以下であるか否かを判定することによって、第１冷却水回路Ｃ１の冷却水の温度Ｔ１が第１所定値α１以下であるか否かを推定するようにしてもよい。
【００７９】
続くステップＳ１４０では、第２冷却水回路Ｃ２（第２回路）の冷却水の温度Ｔ２が第２所定値α２以下であるか否かを判定する。換言すれば、冷媒回路２０の低圧側冷媒（低圧冷媒）の温度または圧力が所定値以下であるか否かを推定する。
【００８０】
第２冷却水回路Ｃ２の冷却水の温度Ｔ２が第２所定値α２以下であると判定した場合、ステップＳ１４０へ戻る。
【００８１】
第２冷却水回路Ｃ２の冷却水の温度Ｔ２が第２所定値α２以下であると判定した場合、ステップＳ１５０へ進み、室内送風機１８を起動する。これにより、クーラコア１６で車室内への送風空気が冷却される。
【００８２】
ステップＳ１４０において、冷媒回路２０の低圧側冷媒（低圧冷媒）の温度が第２所定値α２以下であるか否かを判定し、冷媒回路２０の低圧側冷媒の温度Ｔ２が第２所定値α２以下であると判定した場合、ステップＳ１４０へ戻り、冷媒回路２０の低圧側冷媒の温度Ｔ２が第２所定値α２以下であると判定した場合、ステップＳ１５０へ進むようにしてもよい。
【００８３】
続くステップＳ１６０では通常のエアコン制御を実施する。すなわち、車室内温度が、操作パネル４８の車室内温度設定スイッチで設定された温度になるように、圧縮機２１の冷媒吐出能力や室内送風機１８の送風能力等を制御する。
【００８４】
例えば、目標吹出温度ＴＡＯ等に基づいて、圧縮機２１の冷媒吐出能力や室内送風機１８の送風能力等を制御するようにすればよい。目標吹出温度ＴＡＯは、以下の数式により算出される。ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ但し、Ｔｓｅｔは車室内温度設定スイッチによって設定された車室内設定温度、Ｔｒは内気センサ４１によって検出された車室内温度（内気温）、Ｔａｍは外気センサ４２によって検出された外気温、Ｔｓは日射センサ４３によって検出された日射量である。Ｋｓｅｔ、Ｋｒ、Ｋａｍ、Ｋｓは制御ゲインであり、Ｃは補正用の定数である。
【００８５】
本実施形態では、制御装置４０は、圧縮機２１の起動要求があった場合、まず第１ポンプ１１を起動し、その後、第１冷却水回路Ｃ１の冷却水の温度Ｔ１が第１所定値α１以下であると判定または推定した場合、圧縮機２１を起動する。
【００８６】
これによると、圧縮機２１の起動要求があった場合、まず第１ポンプ１１を起動するので、ラジエータ１３で第１冷却水回路Ｃ１の冷却水と外気とを熱交換させて第１冷却水回路Ｃ１の冷却水を冷却することができる。
【００８７】
そして、第１冷却水回路Ｃ１の冷却水の温度Ｔ１が第１所定値α１以下であると判定または推定した場合、圧縮機２１を起動するので、冷却水加熱器１５では、ラジエータ１３である程度冷却された第１冷却水回路Ｃ１の冷却水が冷媒と熱交換される。したがって、圧縮機２１を起動した際に冷媒の温度および圧力が過度に上昇することを抑制できる。
【００８８】
本実施形態では、制御装置４０は、第１ポンプ１１を起動させる際、室外送風機１７も起動させるので、第１冷却水回路Ｃ１の冷却水を早期に冷却することができる。
【００８９】
本実施形態では、制御装置４０は、圧縮機２１を起動した後、第２冷却水回路Ｃ２の冷却水の温度Ｔ２（換言すれば、低圧冷媒の温度ＴＲ２または圧力ＰＲ２）が第２所定値α２以下であると判定または推定した場合、室内送風機１８を起動する。
【００９０】
これによると、低圧冷媒がある程度低温になってから室内送風機１８を起動するので、室内送風機１８を起動した際には、冷却水冷却器１４である程度冷却された第２冷却水回路Ｃ２の冷却水が、クーラコア１６で車室内への送風空気をある程度冷却する。したがって、ほとんど冷却されていない緩い空気が車室内に吹き出されて乗員が不快になることを抑制できる。
【００９１】
本実施形態では、膨張弁２２で減圧された低圧冷媒と第２冷却水回路Ｃ２の冷却水とを熱交換させて第２冷却水回路Ｃ２の冷却水を冷却する冷却水冷却器１４と、冷却水冷却器１４で冷却された第２冷却水回路Ｃ２の冷却水と車室内への送風空気とを熱交換させて車室内への送風空気を冷却するクーラコア１６とを備える。
【００９２】
これによると、第２冷却水回路Ｃ２の冷却水の熱容量が大きいので、クーラコア１６における送風空気の冷却温度が急激に変動することを抑制できる。そのため、クーラコア１６における送風空気の冷却温度が急激に低下してクーラコア１６に霜が付着することを抑制できる。また、クーラコア１６に霜が付着することを抑制するために圧縮機２１を停止させるという着霜抑制制御が実行されることを抑制できる。
【００９３】
（第２実施形態）
上記実施形態では、空調作動スイッチ（Ａ／Ｃスイッチ）がオンされた場合、第１ポンプ１１を起動して第１冷却水回路Ｃ１の冷却水を冷却するが、本実施形態では、空調作動スイッチ（Ａ／Ｃスイッチ）がオンされていない場合であっても、第１冷却水回路Ｃ１の冷却水の温度が上昇した場合、第１ポンプ１１を起動して第１冷却水回路Ｃ１の冷却水を冷却する。
【００９４】
図４は、制御装置４０が実行する制御処理の概要を示すフローチャートである。本実施形態では、制御装置４０には、車両のイグニッションスイッチのオン・オフ状態に関わらず、車両のバッテリから電力が供給される。制御装置４０は、車両のイグニッションスイッチのオン・オフ状態に関わらず、この制御処理の実行を開始する。
【００９５】
まず、ステップＳ２００では、車両のイグニッションスイッチがオフされている状態、および車両のエンジンが停止している状態のうち少なくとも一方の状態であるか否かを判定する。すなわち、車両が駐車中であるか否かを判定する。
【００９６】
車両のイグニッションスイッチがオフされている状態、および車両のエンジンが停止している状態のうち少なくとも一方の状態であると判定した場合（すなわち、車両が駐車中であると判定した場合）、ステップＳ２１０へ進み、第１冷却水回路Ｃ１（第１回路）の冷却水の温度Ｔ１が第３所定値α３以上であるか否かを判定する。
【００９７】
第１冷却水回路Ｃ１の冷却水の温度Ｔ１が第３所定値α３以上でないと判定した場合、ステップＳ２１０へ戻る。第１冷却水回路Ｃ１の冷却水の温度Ｔ１が第３所定値α３以上であると判定した場合、ステップＳ２２０へ進み、第１ポンプ１１および室外送風機１７を起動する。これにより、第１冷却水回路Ｃ１の冷却水がラジエータ１３で冷却される。
【００９８】
ステップＳ２１０において、冷媒回路２０の高圧側冷媒（高圧冷媒）の温度または圧力が所定値以上であるか否かを判定することによって、第１冷却水回路Ｃ１の冷却水の温度Ｔ１が第３所定値α３以上であるか否かを推定するようにしてもよい。
【００９９】
ステップＳ２１０において、第１冷却水回路Ｃ１の冷却水の温度Ｔ１の代わりに、第２冷却水回路Ｃ２の冷却水の温度Ｔ２が第３所定値α３以上であるか否かを推定するようにしてもよい。車両が駐車中の場合、第２冷却水回路Ｃ２の冷却水も、第１冷却水回路Ｃ１の冷却水と同様に温度上昇するからである。
【０１００】
続くステップＳ２３０では、第１冷却水回路Ｃ１（第１回路）の冷却水の温度Ｔ１が第４所定値α４以下であるか否かを判定する。第４所定値α４は、第３所定値α３よりも小さい値である。
【０１０１】
第１冷却水回路Ｃ１の冷却水の温度Ｔ１が第４所定値α４以下でないと判定した場合、ステップＳ２３０へ戻る。第１冷却水回路Ｃ１の冷却水の温度Ｔ１または圧力が第４所定値α４以下であると判定した場合、ステップＳ２４０へ進み、第１ポンプ１１および室外送風機１７を停止する。
【０１０２】
ステップＳ２３０において、冷媒回路２０の高圧側冷媒（高圧冷媒）の温度または圧力が所定値以下であるか否かを判定することによって、第１冷却水回路Ｃ１の冷却水の温度Ｔ１が第４所定値α４以下であるか否かを推定するようにしてもよい。
【０１０３】
ステップＳ２３０において、第１冷却水回路Ｃ１の冷却水の温度Ｔ１の代わりに、第２冷却水回路Ｃ２の冷却水の温度Ｔ２が第４所定値α４以下であるか否かを推定するようにしてもよい。
【０１０４】
本実施形態では、車両のイグニッションスイッチがオフされている状態、および車両のエンジンが停止している状態のうち少なくとも一方の状態である場合において、制御装置４０は、第１冷却水回路Ｃ１の冷却水の温度Ｔ１が第３所定値α３以上であると判定または推定した場合、まず第１ポンプ１１を起動し、その後、第１冷却水回路Ｃ１の冷却水の温度Ｔ１が、第３所定値α３よりも小さい第４所定値α４以下であると判定または推定した場合、第１ポンプ１１を停止する。
【０１０５】
これによると、高温環境下において、車両のイグニッションスイッチがオフされている状態や、車両のエンジンが停止している状態で第１冷却水回路Ｃ１の冷却水の温度Ｔ１が過剰に上昇することを抑制できる。したがって、車両のイグニッションスイッチがオンされた後や、車両のエンジンが起動された後に、速やかに圧縮機２１を起動して空調を開始できる。
【０１０６】
車両のイグニッションスイッチがオフされている状態、および車両のエンジンが停止している状態のうち少なくとも一方の状態である場合において、制御装置４０は、第１冷却水回路Ｃ１の冷却水の温度Ｔ１、冷媒の温度および冷媒の圧力のうち１つの物理量が第３所定値α３以上であると判定または推定した場合、まず第１ポンプ１１を起動し、その後、第１冷却水回路Ｃ１の冷却水の温度Ｔ１、冷媒の温度および冷媒の圧力のうち１つの物理量が、第３所定値α３よりも小さい第４所定値α４以下であると判定または推定した場合、圧縮機２１を停止するようにしても、本実施形態と同様の作用効果を奏することができる。
【０１０７】
（第３実施形態）
上記第１実施形態では、第２冷却水回路Ｃ２を有しているが、本第２実施形態では、第２冷却水回路Ｃ２を有しておらず、冷却水冷却器１４の代わりに蒸発器４０を有している。
【０１０８】
蒸発器４０は、膨張弁２２で減圧膨張された低圧冷媒と車室内への送風空気とを熱交換させて車室内への送風空気を冷却する冷却水空気熱交換器である。蒸発器４０は、膨張弁２２で減圧された低圧冷媒の冷熱を利用して車室内への送風空気を冷却する空気冷却手段である。蒸発器４０には、室内送風機１８によって内気(車室内空気)、外気、または内気と外気との混合空気が送風される。
【０１０９】
本実施形態では、図３に示すステップＳ１４０において、冷媒回路２０の低圧冷媒の温度ＴＲ２または圧力ＰＲ２が第２所定値α２を下回っているか否かを判定し、冷媒回路２０の低圧冷媒の温度ＴＲ２または圧力ＰＲ２が第２所定値α２を下回っていないと判定した場合、ステップＳ１４０へ戻り、冷媒回路２０の低圧冷媒の温度ＴＲ２または圧力ＰＲ２が第２所定値α２を下回っていると判定した場合、ステップＳ１５０へ進み、室内送風機１８を起動するようにすればよい。
【０１１０】
本実施形態においても、上記第１実施形態と同様の作用効果を奏することができる。
【０１１１】
（第４実施形態）
上記第２実施形態では、車両が駐車中かつ空調作動スイッチ（Ａ／Ｃスイッチ）がオフされている状態において、第１冷却水回路Ｃ１の冷却水の温度が上昇すると、第１ポンプ１１を起動して第１冷却水回路Ｃ１の冷却水を冷却するが、本実施形態では、車両が走行中かつ空調作動スイッチ（Ａ／Ｃスイッチ）がオフされている状態において、第１冷却水回路Ｃ１の冷却水の温度が上昇すると、第１ポンプ１１を起動して第１冷却水回路Ｃ１の冷却水を冷却する。
【０１１２】
図６は、制御装置４０が実行する制御処理の概要を示すフローチャートである。まず、ステップＳ３００では、車両のイグニッションスイッチがオンされており且つ車両のエンジンがオンされている状態であるか否かを判定する。すなわち、車両が走行中であるか否かを判定する。
【０１１３】
車両のイグニッションスイッチがオンされており且つ車両のエンジンがオンされている状態であると判定した場合（すなわち、車両が走行中であると判定した場合）、ステップＳ１００へ進み、操作パネル４８に設けられた空調作動スイッチ（Ａ／Ｃスイッチ）がオフの状態であるか否かを判定する。換言すれば、圧縮機２１の起動要求がないか否かを判定する。
【０１１４】
空調作動スイッチがオフの状態でないと判定した場合、ステップＳ３１０へ戻る。空調作動スイッチ（Ａ／Ｃスイッチ）がオフの状態であると判定した場合、ステップＳ３２０へ進み、第１冷却水回路Ｃ１（第１回路）の冷却水の温度Ｔ１が第５所定値α５以上であるか否かを判定する。
【０１１５】
第１冷却水回路Ｃ１の冷却水の温度Ｔ１が第５所定値α５以上でないと判定した場合、ステップＳ３２０へ戻る。第１冷却水回路Ｃ１の冷却水の温度Ｔ１が第５所定値α５以上であると判定した場合、ステップＳ３３０へ進み、第１ポンプ１１および室外送風機１７を起動する。これにより、第１冷却水回路Ｃ１の冷却水がラジエータ１３で冷却される。
【０１１６】
ステップＳ３２０において、冷媒回路２０の高圧側冷媒（高圧冷媒）の温度または圧力が所定値以上であるか否かを判定することによって、第１冷却水回路Ｃ１の冷却水の温度Ｔ１が第５所定値α５以上であるか否かを推定するようにしてもよい。
【０１１７】
ステップＳ３２０において、第１冷却水回路Ｃ１の冷却水の温度Ｔ１の代わりに、第２冷却水回路Ｃ２の冷却水の温度Ｔ２が第５所定値α５以上であるか否かを推定するようにしてもよい。空調作動スイッチ（Ａ／Ｃスイッチ）がオフの状態である場合、第２冷却水回路Ｃ２の冷却水も、第１冷却水回路Ｃ１の冷却水と同様に温度上昇することがあるからである。
【０１１８】
本実施形態では、車両のイグニッションスイッチがオンされ、車両のエンジンが作動し、かつ圧縮機２１が停止している状態において、第１冷却水回路Ｃ１の冷却水の温度Ｔ１が第５所定値α５以上であると判定または推定した場合、第１ポンプ１１を起動する。
【０１１９】
これによると、車両が走行しており且つ圧縮機２１が停止している状態において第１冷却水回路Ｃ１の冷却水の温度Ｔ１が過剰に上昇することを抑制できる。したがって、圧縮機２１の起動要求があった場合に速やかに圧縮機２１を起動して空調を開始できる。
【０１２０】
（第５実施形態）
上記実施形態では、車両用冷凍サイクル装置１０は車両用空調装置を構成しているが、車両用冷凍サイクル装置１０は、車両が備える各種機器を適切な温度に調整する車両用熱管理システムを構成していてもよい。
【０１２１】
例えば、第１冷却水回路Ｃ１および第２冷却水回路Ｃ２に、冷却水によって温度調整（冷却・加熱）される種々の温度調整対象機器（冷却対象機器・加熱対象機器）が配置されていてもよい。
【０１２２】
さらに、第１冷却水回路Ｃ１および第２冷却水回路Ｃ２が切替弁を介して接続され、切替弁が、第１冷却水回路Ｃ１および第２冷却水回路Ｃ２に配置された複数個の熱媒体流通機器のそれぞれに対して、第１ポンプ１１によって吸入・吐出される冷却水が循環する場合と、第２ポンプ１２によって吸入・吐出される冷却水が循環する場合とを切り替えるようにしてもよい。
【０１２３】
具体的には、図７に示すように、本実施形態の熱管理システム１０は、ヒータコア５１、インバータ５２、電池温調用熱交換器５３、冷却水冷却水熱交換器５４、第１切替弁５５および第２切替弁５６を備えている。
【０１２４】
ヒータコア５１は、冷却水が流通する冷却水流通機器（熱媒体流通機器）である。ヒータコア５１は、冷却水と車室内への送風空気とを熱交換させて車室内への送風空気を加熱する空気加熱用熱交換器（熱媒体空気熱交換器）である。
【０１２５】
クーラコア１６では、冷却水が顕熱変化にて送風空気から吸熱する。すなわち、クーラコア１６では、冷却水が送風空気から吸熱しても冷却水が液相のままで相変化しない。クーラコア１６には、室内送風機１８によって内気、外気、または内気と外気との混合空気が送風される。
【０１２６】
インバータ５２、電池温調用熱交換器５３および冷却水冷却水熱交換器５４は、冷却水が流通する流路を有し、冷却水との間で熱授受が行われる熱授受機器（温度調整対象機器）である
インバータ５２は、電池から供給された直流電力を交流電圧に変換して走行用電動モータに出力する電力変換装置である。インバータ５２は、作動に伴って発熱する発熱機器である。
【０１２７】
電池温調用熱交換器５３は、電池と冷却水とを熱交換する熱交換器である。電池温調用熱交換器５３は、電池に接触配置されていて、電池との間で熱伝導が行われる熱交換器である。電池温調用熱交換器５３は、電池への送風経路に配置されていて、送風空気と冷却水とを熱交換する熱交換器（空気熱媒体熱交換器）であってもよい。
【０１２８】
冷却水冷却水熱交換器５４は、車両用熱管理システム１０の冷却水（第１ポンプ１１または第２ポンプ１２によって循環される冷却水）と、エンジン冷却回路７０の冷却水（エンジン用熱媒体）とを熱交換する熱交換器（熱媒体熱媒体熱交換器）である。
【０１２９】
第１ポンプ１１は、第１ポンプ用流路６１に配置されている。第１ポンプ用流路６１において第１ポンプ１１の吐出側には、冷却水冷却用熱交換器１４が配置されている。
【０１３０】
第２ポンプ１２は、第２ポンプ用流路６２に配置されている。第２ポンプ用流路６２において第２ポンプ１２の吐出側には、冷却水加熱用熱交換器１５が配置されている。
【０１３１】
室外熱交換器１３は、室外熱交換器用流路６３に配置されている。クーラコア１６は、クーラコア用流路６４に配置されている。ヒータコア５１は、ヒータコア用流路６５に配置されている。
【０１３２】
インバータ５２は、インバータ用流路６６に配置されている。電池温調用熱交換器５３は、電池温調用流路６７に配置されている。冷却水冷却水熱交換器５４は、冷却水冷却水熱交換器用流路６８に配置されている。
【０１３３】
第１ポンプ用流路６１、第２ポンプ用流路６２、室外熱交換器用流路６３、クーラコア用流路６４、ヒータコア用流路６５、インバータ用流路６６、電池温調用流路６７および冷却水冷却水熱交換器用流路６８は、第１切替弁５５および第２切替弁５６に接続されている。第１切替弁５５および第２切替弁５６は、冷却水の流れを切り替える切替手段である。
【０１３４】
第１切替弁５５は、冷却水の入口として第１入口５５ａおよび第２入口５５ｂを有し、冷却水の出口として第１出口５５ｃ、第２出口５５ｄ、第３出口５５ｅ、第４出口５５ｆ、第５出口５５ｇ、第６出口５５ｈ、第７出口５５ｉを有している。
【０１３５】
第２切替弁５６は、冷却水の出口として第１出口５６ａおよび第２出口５６ｂを有し、冷却水の入口として第１入口５６ｃ、第２入口５６ｄ、第３入口５６ｅ、第４入口５６ｆ、第５入口５６ｇ、第６入口５６ｈ、第７入口５６ｉを有している。
【０１３６】
第１切替弁５５の第１入口５５ａには、第１ポンプ用流路６１の一端が接続されている。換言すれば、第１切替弁５５の第１入口５５ａには、冷却水冷却用熱交換器１４の冷却水出口側が接続されている。
【０１３７】
第１切替弁５５の第２入口５５ｂには、第２ポンプ用流路６２の一端が接続されている。換言すれば、第１切替弁５５の第２入口５５ｂには、冷却水加熱用熱交換器１５の冷却水出口側が接続されている。
【０１３８】
第１切替弁５５の第１出口５５ｃには、室外熱交換器用流路６３の一端が接続されている。換言すれば、第１切替弁５５の第１出口５５ｃには室外熱交換器１３の冷却水入口側が接続されている。
【０１３９】
第１切替弁５５の第２出口５５ｄには、クーラコア用流路６４の一端が接続されている。換言すれば、第１切替弁５５の第２出口５５ｄにはクーラコア１６の冷却水入口側が接続されている。
【０１４０】
第１切替弁５５の第３出口５５ｅには、ヒータコア用流路６５の一端が接続されている。換言すれば、第１切替弁５５の第３出口５５ｅにはヒータコア５１の冷却水入口側が接続されている。
【０１４１】
第１切替弁５５の第４出口５５ｆには、インバータ用流路６６の一端が接続されている。換言すれば、第１切替弁５５の第４出口５５ｆにはインバータ５２の冷却水入口側が接続されている。
【０１４２】
第１切替弁５５の第５出口５５ｇには、電池温調用流路６７の一端が接続されている。換言すれば、第１切替弁５５の第５出口５５ｇには電池温調用熱交換器５３の冷却水入口側が接続されている。
【０１４３】
第１切替弁５５の第６出口５５ｈには、冷却水冷却水熱交換器用流路６８の一端が接続されている。換言すれば、第１切替弁５５の第６出口５５ｈには冷却水冷却水熱交換器５４の冷却水入口側が接続されている。
【０１４４】
第１切替弁５５の第７出口５５ｉには、バイパス流路２６の一端が接続されている。バイパス流路２６は、冷却水が各冷却水流通機器１３、１６、５１、５２、５３、５４をバイパスして流れる流路である。
【０１４５】
第２切替弁５６の第１出口５６ａには、第１ポンプ用流路６１の他端が接続されている。換言すれば、第２切替弁５６の第１出口５６ａには、第１ポンプ１１の冷却水吸入側が接続されている。
【０１４６】
第２切替弁５６の第２出口５６ｂには、第２ポンプ用流路６２の他端が接続されている。換言すれば、第２切替弁５６の第２出口５６ｂには、第２ポンプ１２の冷却水吸入側が接続されている。
【０１４７】
第２切替弁５６の第１入口５６ｃには、室外熱交換器用流路６３の他端が接続されている。換言すれば、第２切替弁５６の第１入口５６ｃには室外熱交換器１３の冷却水出口側が接続されている。
【０１４８】
第２切替弁５６の第２入口５５ｄには、クーラコア用流路６４の他端が接続されている。換言すれば、第２切替弁５６の第２入口５５ｄにはクーラコア１６の冷却水出口側が接続されている。
【０１４９】
第２切替弁５６の第３入口５５ｅには、ヒータコア用流路６５の他端が接続されている。換言すれば、第２切替弁５６の第３入口５５ｅにはヒータコア５１の冷却水出口側が接続されている。
【０１５０】
第２切替弁５６の第４入口５５ｆには、インバータ用流路６６の他端が接続されている。換言すれば、第２切替弁５６の第４入口５５ｆにはインバータ５２の冷却水出口側が接続されている。
【０１５１】
第２切替弁５６の第５入口５５ｇには、電池温調用流路６７の他端が接続されている。換言すれば、第２切替弁５６の第５入口５５ｇには電池温調用熱交換器５３の冷却水出口側が接続されている。
【０１５２】
第２切替弁５６の第６入口５５ｈには、冷却水冷却水熱交換器用流路６８の他端が接続されている。換言すれば、第２切替弁５６の第６入口５５ｈには冷却水冷却水熱交換器５４の冷却水出口側が接続されている。
【０１５３】
第２切替弁５６の第７入口５５ｉには、バイパス流路２６の他端が接続されている。
【０１５４】
第１切替弁５５および第２切替弁５６は、各入口と各出口との連通状態を任意または選択的に切り替え可能な構造になっている。
【０１５５】
具体的には、第１切替弁５５は、室外熱交換器１３、クーラコア１６、ヒータコア５１、インバータ５２、電池温調用熱交換器５３、冷却水冷却水熱交換器５４およびバイパス流路２６のそれぞれについて、第１ポンプ１１から吐出された冷却水が流入する状態と、第２ポンプ１２から吐出された冷却水が流入する状態と、第１ポンプ１１から吐出された冷却水および第２ポンプ１２から吐出された冷却水が流入しない状態とを切り替える。
【０１５６】
第２切替弁５６は、室外熱交換器１３、クーラコア１６、ヒータコア５１、インバータ５２、電池温調用熱交換器５３、冷却水冷却水熱交換器５４およびバイパス流路２６のそれぞれについて、第１ポンプ１１へ冷却水が流出する状態と、第２ポンプ１２へ冷却水が流出する状態と、第１ポンプ１１および第２ポンプ１２へ冷却水が流出しない状態とを切り替える。
【０１５７】
第１切替弁５５および第２切替弁５６は、弁開度を調整可能になっている。これにより、室外熱交換器１３、クーラコア１６、ヒータコア５１、インバータ５２、電池温調用熱交換器５３、冷却水冷却水熱交換器５４およびバイパス流路２６を流れる冷却水の流量を調整できる。
【０１５８】
したがって、第１切替弁５５および第２切替弁５６は、各冷却水流通機器１３、１６、５１、５２、５３、５４およびバイパス流路２６を流れる冷却水の流量を調整する流量調整弁である。
【０１５９】
第１切替弁５５および第２切替弁５６は、第１ポンプ１１から吐出された冷却水と、第２ポンプ１２から吐出された冷却水とを任意の流量割合で混合して、室外熱交換器１３、クーラコア１６、ヒータコア５１、インバータ５２、電池温調用熱交換器５３、冷却水冷却水熱交換器５４およびバイパス流路２６に流入させることが可能になっている。
【０１６０】
クーラコア１６およびヒータコア５１は、車両用空調装置の室内空調ユニット３０のケーシング３１に収容されている。
【０１６１】
ケーシング３１内の空気流れ最上流側には、内外気切替箱３２が配置されている。内外気切替箱３２は、内気（車室内空気）と外気（車室外空気）とを切替導入する内外気導入手段である。
【０１６２】
内外気切替箱３２には、ケーシング３１内に内気を導入させる内気吸込口３２ａ、および外気を導入させる外気吸込口３２ｂが形成されている。内外気切替箱３２の内部には、内外気切替ドア３３が配置されている。
【０１６３】
内外気切替ドア３３は、ケーシング３１内に導入される内気と外気との風量割合を変化させる風量割合変更手段である。具体的には、内外気切替ドア３３は、内気吸込口３２ａおよび外気吸込口３２ｂの開口面積を連続的に調整して、内気の風量と外気の風量との風量割合を変化させる。内外気切替ドア３３は、電動アクチュエータ（図示せず）によって駆動される。
【０１６４】
内外気切替箱３２の空気流れ下流側には、室内送風機１８（ブロワ）が配置されている。室内送風機１８は、内外気切替箱３２を介して吸入した空気（内気および外気）を車室内へ向けて送風する送風手段である。
【０１６５】
ケーシング３１内において室内送風機１８の空気流れ下流側には、クーラコア１６およびヒータコア５１が配置されている。
【０１６６】
ケーシング３１の内部においてクーラコア１６の空気流れ下流側部位には、ヒータコアバイパス通路３１ａが形成されている。ヒータコアバイパス通路３１ａは、クーラコア１６を通過した空気を、ヒータコア５１を通過させずに流す空気通路である。
【０１６７】
ケーシング３１の内部においてクーラコア１６とヒータコア５１との間には、エアミックスドア３５が配置されている。
【０１６８】
エアミックスドア３５は、ヒータコア５１へ流入させる空気と、ヒータコアバイパス通路３１ａへ流入させる空気との風量割合を連続的に変化させる風量割合調整手段である。エアミックスドア３５は、回動可能な板状ドアや、スライド可能なドア等であり、電動アクチュエータ（図示せず）によって駆動される。
【０１６９】
ヒータコア５１を通過する空気とヒータコアバイパス通路３１ａを通過する空気との風量割合によって、車室内へ吹き出される吹出空気の温度が変化する。したがって、エアミックスドア３５は、車室内へ吹き出される吹出空気の温度を調整する温度調整手段である。
【０１７０】
ケーシング３１の空気流れ最下流部には、空調対象空間である車室内へ送風空気を吹き出す吹出口３１ｂが配置されている。この吹出口３１ｂとしては、具体的には、デフロスタ吹出口、フェイス吹出口およびフット吹出口が設けられている。
【０１７１】
デフロスタ吹出口は、車両前面窓ガラスの内側の面に向けて空調風を吹き出す。フェイス吹出口は、乗員の上半身に向けて空調風を吹き出す。フット吹出口は、乗員の足元に向けて空調風を吹き出す。
【０１７２】
吹出口３１ｂの空気流れ上流側には、吹出口モードドア（図示せず）が配置されている。吹出口モードドアは、吹出口モードを切り替える吹出口モード切替手段である。吹出口モードドアは、電動アクチュエータ(図示せず)によって駆動される。
【０１７３】
吹出口モードドアによって切り替えられる吹出口モードとしては、例えば、フェイスモード、バイレベルモード、フットモードおよびフットデフロスタモードがある。
【０１７４】
フェイスモードは、フェイス吹出口を全開してフェイス吹出口から車室内乗員の上半身に向けて空気を吹き出す吹出口モードである。バイレベルモードは、フェイス吹出口とフット吹出口の両方を開口して車室内乗員の上半身と足元に向けて空気を吹き出す吹出口モードである。
【０１７５】
フットモードは、フット吹出口を全開するとともにデフロスタ吹出口を小開度だけ開口して、フット吹出口から主に空気を吹き出す吹出口モードである。フットデフロスタモードは、フット吹出口およびデフロスタ吹出口を同程度開口して、フット吹出口およびデフロスタ吹出口の双方から空気を吹き出す吹出口モードである。
【０１７６】
エンジン冷却回路７０は、エンジン７１を冷却するための冷却水循環回路である。エンジン冷却回路７０は、エンジン冷却水（第２熱媒体）が循環する循環流路７２を有している。循環流路７２には、エンジン７１、第３ポンプ７３、エンジン用ラジエータ７４および冷却水冷却水熱交換器５４が配置されている。
【０１７７】
第３ポンプ７３は、エンジン冷却水を吸入して吐出する電動ポンプである。第３ポンプ７３は、エンジン７１から出力される動力によって駆動される機械式ポンプであってもよい。
【０１７８】
エンジン用ラジエータ７４は、エンジン冷却水と外気とを熱交換することによって冷却水の熱を外気に放熱させる放熱用の熱交換器（空気熱媒体熱交換器）である。
【０１７９】
循環流路７２には、ラジエータバイパス流路７５が接続されている。ラジエータバイパス流路７５は、エンジン冷却水がエンジン用ラジエータ７４をバイパスして流れる流路である。
【０１８０】
ラジエータバイパス流路７５と循環流路７２との接続部にはサーモスタット７６が配置されている。サーモスタット７６は、温度によって体積変化するサーモワックス（感温部材）によって弁体を変位させて冷却水流路を開閉する機械的機構で構成される冷却水温度応動弁である。
【０１８１】
具体的には、サーモスタット７６は、エンジン冷却水の温度が所定温度を上回っている場合（例えば８０℃以上）、ラジエータバイパス流路７５を閉じ、冷却水の温度が所定温度を下回っている場合（例えば８０℃未満）、ラジエータバイパス流路７５を開ける。
【０１８２】
循環流路７２には、エンジン補機用流路７７が接続されている。エンジン補機用流路７７は、エンジン冷却水が冷却水冷却水熱交換器５４と並列に流れる流路である。エンジン補機用流路７７にはエンジン補機７８が配置されている。冷却水冷却水熱交換器５４は、冷却エンジン補機用流路７７に配置されて、エンジン補機７８と直列に冷却水が流れるようになってもよい。
【０１８３】
エンジン補機７８は、オイル熱交換器、ＥＧＲクーラ、スロットルクーラ（ウォーマ）、ターボクーラ、エンジン補助モータ等である。オイル熱交換器は、エンジンオイルまたはトランスミッションオイルとエンジン冷却水とを熱交換してオイルの温度を調整する熱交換器である。
【０１８４】
ＥＧＲクーラは、エンジンの排気ガスの一部を吸気側に還流させてスロットルバルブで発生するポンピングロスを低減させるＥＧＲ（排気ガス再循環）装置を構成する熱交換器であって、還流ガスとエンジン冷却水とを熱交換させて還流ガスの温度を調整する熱交換器である。
【０１８５】
スロットルクーラ（ウォーマ）は、スロットルバルブを冷却（加熱）するためにスロットル内部に設けたウォータジャケットである。
【０１８６】
ターボクーラはターボチャージャで発生する熱とエンジン冷却水とを熱交換させてターボチャージャを冷却するための冷却器である。
【０１８７】
エンジン補助モータは、エンジン停止中でもエンジンベルトを回せるようにするための大型モータであり、エンジンベルトで駆動される圧縮機やウォータポンプなどをエンジン７１の駆動力が無い状態でも作動させたり、エンジン７１の始動時に利用される。
【０１８８】
エンジン用ラジエータ７４にはエンジン用リザーブタンク７９が接続されている。エンジン用リザーブタンク７９は、エンジン冷却水を貯留する大気開放式の容器（熱媒体貯留手段）である。したがって、エンジン用リザーブタンク７９に蓄えているエンジン冷却水の液面における圧力は大気圧になる。
【０１８９】
エンジン用リザーブタンク７９は、エンジン用リザーブタンク７９に蓄えているエンジン冷却水の液面における圧力が所定圧力（大気圧とは異なる圧力）になるように構成されていてもよい。
【０１９０】
エンジン用リザーブタンク７９に余剰冷却水を貯留しておくことによって、各流路を循環するエンジン冷却水の液量の低下を抑制することができる。エンジン用リザーブタンク７９は、エンジン冷却水に混入した気泡を気液分離する機能を有している。
【０１９１】
室外熱交換器用流路６３にはリザーブタンク８０が接続されている。リザーブタンク８０の構造および機能はエンジン用リザーブタンク７９と同様である。
【０１９２】
室内空調ユニット３０のケーシング３１の内部においてヒータコア５１の空気流れ下流側部位には、補助ヒータ８１が配置されている。補助ヒータ８１は、送風空気を加熱する空気加熱手段である。補助ヒータ８１は、ＰＴＣ素子（正特性サーミスタ）を有し、このＰＴＣ素子に電力が供給されることによって発熱して空気を加熱するＰＴＣヒータ（電気ヒータ）である。補助ヒータ８１は、ニクロム線などの電熱線を有し、電熱線に電力が供給されることによって空気を加熱する方式の電熱ヒータでもよい。
【０１９３】
次に、熱管理システム１０の電気制御部を図８に基づいて説明する。制御装置４０のうち第１切替弁５５および第２切替弁５６の作動を制御する構成（ハードウェアおよびソフトウェア）は、切替弁制御手段４０ｇ（流量調整弁制御手段）を構成している。切替弁制御手段４０ｇを制御装置４０に対して別体で構成してもよい。
【０１９４】
切替弁制御手段４０ｇは、第１切替弁５５および第２切替弁５６とともに、各冷却水流通機器１３、１６、５１、５２、５３、５４およびバイパス流路２６を流れる冷却水の流量を制御する冷却水流量制御手段（熱媒体流量制御手段）を構成している。
【０１９５】
制御装置４０のうち、ケーシング３１の内部に配置された各種ドア（内外気切替ドア３３、エアミックスドア３５、吹出口モードドア等）の作動を制御する構成（ハードウェアおよびソフトウェア）は、空調切替制御手段４０ｈを構成している。空調切替制御手段４０ｈを制御装置４０に対して別体で構成してもよい。
【０１９６】
エアミックスドア３５および空調切替制御手段４０ｈは、クーラコア１６で冷却された送風空気のうちヒータコア５１を流れる送風空気とヒータコア５１を迂回して流れる送風空気との風量割合を調整する風量割合調整手段である。
【０１９７】
内外気切替ドア３３および空調切替制御手段４０ｈは、車室内へ吹き出される送風空気のうち内気と外気との割合を調整する内外気割合調整手段である。
【０１９８】
制御装置４０のうち補助ヒータ８１（具体的には補助ヒータ用リレー８３）の作動を制御する構成（ハードウェアおよびソフトウェア）は、補助ヒータ制御手段４０ｉ（電気ヒータ制御手段）を構成している。補助ヒータ制御手段４０ｉは、補助ヒータ８１による空気の加熱を制御する空気加熱制御手段である。
【０１９９】
制御装置４０のうちインバータ５２の作動を制御する構成（ハードウェアおよびソフトウェア）は、インバータ制御手段４０ｊを構成している。
【０２００】
制御装置４０の入力側には、内気温度センサ４１、内気湿度センサ８５、外気温度センサ４２、日射センサ４３、第１水温センサ４４、第２水温センサ４５、ラジエータ水温センサ８７、クーラコア温度センサ８８、ヒータコア温度センサ８９、エンジン水温センサ９０、インバータ温度センサ９１、電池温度センサ９２、冷媒温度センサ９３、９４および冷媒圧力センサ９５、９６等のセンサ群の検出信号が入力される。
【０２０１】
内気温度センサ４１は、内気の温度（車室内温度）を検出する検出手段（内気温度検出手段）である。内気湿度センサ８５は、内気の湿度を検出する検出手段（内気湿度検出手段）である。
【０２０２】
外気温度センサ４２は、外気の温度（車室外温度）を検出する検出手段（外気温度検出手段）である。日射センサ４３は、車室内の日射量を検出する検出手段(日射量検出手段）である。
【０２０３】
第１水温センサ４４は、第１ポンプ用流路６１を流れる冷却水の温度（例えば第１ポンプ１１に吸入される冷却水の温度）を検出する検出手段（第１熱媒体温度検出手段）である。
【０２０４】
第２水温センサ４５は、第２ポンプ用流路６２を流れる冷却水の温度（例えば第２ポンプ１２に吸入される冷却水の温度）を検出する検出手段（第２熱媒体温度検出手段）である。
【０２０５】
ラジエータ水温センサ８７は、ラジエータ用流路６３を流れる冷却水の温度（例えばラジエータ１３から流出した冷却水の温度）を検出する検出手段（機器側熱媒体温度検出手段）である。
【０２０６】
クーラコア温度センサ８８は、クーラコア１６の表面温度を検出する検出手段（クーラコア温度検出手段）である。クーラコア温度センサ８８は、例えば、クーラコア１６の熱交換フィンの温度を検出するフィンサーミスタや、クーラコア１６を流れる冷却水の温度を検出する水温センサ等である。
【０２０７】
ヒータコア温度センサ８９は、ヒータコア５１の表面温度を検出する検出手段（ヒータコア温度検出手段）である。ヒータコア温度センサ８９は、例えば、ヒータコア５１の熱交換フィンの温度を検出するフィンサーミスタや、ヒータコア５１を流れる冷却水の温度を検出する水温センサ等である。
【０２０８】
エンジン水温センサ９０は、エンジン冷却回路７０を循環する冷却水の温度（例えばエンジン７１の内部を流れる冷却水の温度）を検出する検出手段（エンジン熱媒体温度検出手段）である。
【０２０９】
インバータ温度センサ９１は、インバータ用流路６６を流れる冷却水の温度（例えばインバータ５２から流出した冷却水の温度）を検出する検出手段（機器側熱媒体温度検出手段）である。
【０２１０】
電池温度センサ９２は、電池熱交換用流路６７を流れる冷却水の温度（例えば電池温調用熱交換器５３に流入する冷却水の温度）を検出する検出手段（機器側熱媒体温度検出手段）である。
【０２１１】
冷媒温度センサ９３、９４は、圧縮機２１から吐出された冷媒の温度を検出する吐出側冷媒温度センサ９３、および圧縮機２１に吸入される冷媒の温度を検出する吸入側冷媒温度センサ９４である。
【０２１２】
冷媒圧力センサ９５、９６は、圧縮機２１から吐出された冷媒の圧力を検出する吐出側冷媒圧力センサ９５、および圧縮機２１に吸入される冷媒の圧力を検出する吸入側冷媒温度センサ９６である。
【０２１３】
次に、上記構成における作動を説明する。制御装置４０が第１ポンプ１１、第２ポンプ１２、圧縮機２１、第１切替弁５５および第２切替弁５６等の作動を制御することによって、種々の作動モードに切り替えられる。
【０２１４】
例えば、第１ポンプ１１によって吸入されて吐出された冷却水が、冷却水冷却用熱交換器１４と、ラジエータ１３、クーラコア１６、ヒータコア５１、インバータ５２、電池温調用熱交換器５３および冷却水冷却水熱交換器５４のうち少なくとも１つの機器との間で循環する低温側冷却水回路（低温側熱媒体回路）が形成され、第２ポンプ１２によって吸入されて吐出された冷却水が、冷却水加熱用熱交換器１５と、ラジエータ１３、クーラコア１６、ヒータコア５１、インバータ５２、電池温調用熱交換器５３および冷却水冷却水熱交換器５４のうち少なくとも１つの機器との間で循環する高温側冷却水回路（高温側熱媒体回路）が形成される。
【０２１５】
ラジエータ１３、クーラコア１６、ヒータコア５１、インバータ５２、電池温調用熱交換器５３および冷却水冷却水熱交換器５４のそれぞれについて、低温側冷却水回路に接続される場合と、高温側冷却水回路に接続される場合とを状況に応じて切り替えることによって、ラジエータ１３、クーラコア１６、ヒータコア５１、インバータ５２、電池温調用熱交換器５３および冷却水冷却水熱交換器５４を状況に応じて適切な温度に調整できる。
【０２１６】
ラジエータ１３が低温側冷却水回路に接続された場合、冷凍サイクル３１のヒートポンプ運転を行うことができる。すなわち、低温側冷却水回路では、冷却水冷却用熱交換器１４で冷却された冷却水がラジエータ１３を流れるので、ラジエータ１３で冷却水が外気から吸熱する。
【０２１７】
そして、ラジエータ１３にて外気から吸熱した冷却水は、冷却水冷却用熱交換器１４で冷凍サイクル３１の冷媒と熱交換して放熱する。したがって、冷却水冷却用熱交換器１４では、冷凍サイクル３１の冷媒が冷却水を介して外気から吸熱する。
【０２１８】
冷却水冷却用熱交換器１４にて外気から吸熱した冷媒は、冷却水加熱用熱交換器１５にて高温側冷却水回路の冷却水と熱交換して放熱する。したがって、外気の熱を汲み上げるヒートポンプ運転を実現できる。
【０２１９】
ラジエータ１３が高温側冷却水回路に接続された場合、冷却水加熱用熱交換器１５で加熱された冷却水がラジエータ１３を流れるので、ラジエータ１３で冷却水の熱を外気に放熱できる。
【０２２０】
クーラコア１６が低温側冷却水回路に接続された場合、冷却水冷却用熱交換器１４で冷却された冷却水がクーラコア１６を流れるので、クーラコア１６で車室内への送風空気を冷却できる。すなわち車室内を冷房できる。
【０２２１】
ヒータコア５１が高温側冷却水回路に接続された場合、冷却水加熱用熱交換器１５で加熱された冷却水がヒータコア５１を流れるので、ヒータコア５１で車室内への送風空気を加熱できる。すなわち車室内を暖房できる。
【０２２２】
インバータ５２が低温側冷却水回路に接続された場合、冷却水冷却用熱交換器１４で冷却された冷却水がインバータ５２を流れるのでインバータ５２を冷却できる。換言すれば、インバータ５２の廃熱を汲み上げるヒートポンプ運転を実現できる。
【０２２３】
インバータ５２が高温側冷却水回路に接続された場合、冷却水加熱用熱交換器１５で加熱された冷却水がインバータ５２を流れるのでインバータ５２を加熱(暖機)できる。
【０２２４】
電池温調用熱交換器５３が低温側冷却水回路に接続された場合、冷却水冷却用熱交換器１４で冷却された冷却水が電池温調用熱交換器５３を流れるので電池を冷却できる。換言すれば、電池の廃熱を汲み上げるヒートポンプ運転を実現できる。
【０２２５】
電池温調用熱交換器５３が高温側冷却水回路に接続された場合、冷却水加熱用熱交換器１５で加熱された冷却水が電池温調用熱交換器５３を流れるので電池を加熱（暖機）できる。
【０２２６】
冷却水冷却水熱交換器５４が低温側冷却水回路に接続された場合、冷却水冷却用熱交換器１４で冷却された冷却水が冷却水冷却水熱交換器５４を流れるのでエンジン冷却水を冷却できる。換言すれば、冷却水冷却水熱交換器５４で低温側冷却水回路の冷却水がエンジン冷却水から吸熱できるので、エンジン７１の廃熱を汲み上げるヒートポンプ運転を実現できる。
【０２２７】
冷却水冷却水熱交換器５４が高温側冷却水回路に接続された場合、冷却水加熱用熱交換器１５で加熱された冷却水が冷却水冷却水熱交換器５４を流れるのでエンジン冷却水を加熱できる。したがって、エンジン７１を加熱（暖機）できる。
【０２２８】
制御装置４０は、図３のフローチャートと同様の制御処理を実行する。ただし、本実施形態では、図３のステップＳ１１０において、第１ポンプ１１および第２ポンプ１２のうちラジエータ１３に接続されたポンプ、および室外送風機１７を起動する。
【０２２９】
本実施形態では、図３のステップＳ１２０において、高温側冷却水回路の冷却水温度が第１所定値α１以下であるか否かを判定する。本実施形態では、図３のステップＳ１３０において、第１ポンプ１１および第２ポンプ１２のうちラジエータ１３に接続されていないポンプ、および圧縮機２１を起動する。
【０２３０】
すなわち、本実施形態では、制御装置４０は、圧縮機２１の起動要求があった場合、まず第１ポンプ１１および第２ポンプ１２のうちラジエータ１３に接続されているポンプを起動し、その後、高温側冷却水の温度Ｔ１が第１所定値α１以下であると判定または推定した場合、圧縮機２１を起動する。
【０２３１】
これにより、ラジエータ１３で冷却水を冷却してから圧縮機２１を起動することができるので、上記第１実施形態と同様に、圧縮機２１を起動した際に冷媒の温度および圧力が過度に上昇することを抑制できる。
【０２３２】
本実施形態では、制御装置４０は、第１ポンプ１１および第２ポンプ１２のうちラジエータ１３に接続されているポンプを起動させる際、外気送風機１７も起動させるので、上記第１実施形態と同様に、冷却水を早期に冷却することができる。
【０２３３】
本実施形態では、図３のステップＳ１４０において、低温側冷却水回路の冷却水温度が第２所定値α２以下であるか否かを判定する。
【０２３４】
すなわち、本実施形態では、制御装置４０は、圧縮機２１を起動した後、低温側冷却水回路の冷却水温度（換言すれば、低圧冷媒の温度ＴＲ２または圧力ＰＲ２）が第２所定値α２以下であると判定または推定した場合、室内送風機１８を起動する。
【０２３５】
これによると、低圧冷媒がある程度低温になってから室内送風機１８を起動するので、上記第１実施形態と同様に、ほとんど冷却されていない緩い空気が車室内に吹き出されて乗員が不快になることを抑制できる。
【０２３６】
制御装置４０は、図４のフローチャートと同様の制御処理を実行する。ただし、本実施形態では、図４のステップＳ２１０において、高温側冷却水回路の冷却水温度が第３所定値α３以上であるか否かを判定する。本実施形態では、図３のステップＳ２２０において、第１ポンプ１１および第２ポンプ１２のうち少なくとも１つのポンプ（冷却水冷却器１４または冷却水加熱器１５に接続されたポンプ）、および室外送風機１７を起動する。
【０２３７】
本実施形態では、図３のステップＳ２３０において、高温側冷却水回路の冷却水温度が第４所定値α４以下であるか否かを判定する。本実施形態では、図３のステップＳ２４０において、ステップＳ２２０で起動されたポンプ、および室外送風機１７を停止する。
【０２３８】
すなわち、本実施形態では、車両のイグニッションスイッチがオフされている状態、および車両のエンジンが停止している状態のうち少なくとも一方の状態である場合において、制御装置４０は、第１ポンプ１１によって循環される冷却水の温度Ｔ１、第２ポンプ１２によって循環される冷却水の温度Ｔ２、冷媒の温度、および冷媒の圧力のうち１つの物理量が第３所定値α３以上であると判定または推定した場合、まず第１ポンプ１１および第２ポンプ１２のうち少なくとも１つのポンプを起動し、その後、前記１つの物理量が、第３所定値α３よりも小さい第４所定値α４以下であると判定または推定した場合、前記少なくとも１つのポンプを停止する。
【０２３９】
これによると、高温環境下において、車両のイグニッションスイッチがオフされている状態や、車両のエンジンが停止している状態であっても、ラジエータ１３で冷却水を冷却できる。したがって、車両のイグニッションスイッチがオンされた後や、車両のエンジンが起動された後に、速やかに圧縮機２１を起動して空調を開始できる。
【０２４０】
制御装置４０は、図６のフローチャートと同様の制御処理を実行する。ただし、本実施形態では、図６のステップＳ３２０において、高温側冷却水回路の冷却水温度が第５所定値α５以上であるか否かを判定する。本実施形態では、図６のステップＳ３３０において、第１ポンプ１１および第２ポンプ１２のうちラジエータ１３に接続されたポンプ、および室外送風機１７を起動する。
【０２４１】
すなわち、本実施形態では、制御装置４０は、車両のイグニッションスイッチがオンされており、車両のエンジンが作動しており、かつ圧縮機２１が停止している状態において、第１ポンプ１１によって循環される冷却水の温度Ｔ１、第２ポンプ１２によって循環される冷却水の温度Ｔ２、冷媒の温度、および冷媒の圧力のうち１つの物理量が第５所定値α５以上であると判定または推定した場合、第１ポンプ１１および第２ポンプ１２のうちラジエータ１３に接続されているポンプを起動する。
【０２４２】
これによると、上記第４実施形態と同様に、車両が走行しており且つ圧縮機２１が停止している状態においても、ラジエータ１３で冷却水を冷却できるので、圧縮機２１の起動要求があった場合に速やかに圧縮機２１を起動して空調を開始できる。
【０２４３】
図９は、制御装置４０が実行する制御処理の概要を示すフローチャートである。ステップＳ４００では、低温側冷却水（第２冷却水回路Ｃ２の冷却水）の温度Ｔ２が第２所定値α２以下であるか否かを判定する。
【０２４４】
低温側冷却水（第２冷却水回路Ｃ２の冷却水）の温度Ｔ２が第２所定値α２以下であると判定した場合、ステップＳ４１０へ進み、クーラコア１６をバイパスしてバイパス流路２６を流れる低温側冷却水の流量割合を増加させる。具体的には、第１切替弁５５および第２切替弁５６の弁開度を調整する。
【０２４５】
第１切替弁５５および第２切替弁５６は、クーラコア１６を流れる低温側冷却水と、クーラコア１６をバイパスしてバイパス流路２６を流れる低温側冷却水との流量割合を調整する冷却水流量割合調整手段（熱媒体流量割合調整手段）である。
【０２４６】
すなわち、本実施形態では、制御装置４０は、圧縮機２１を起動した後、低温側冷却水の温度Ｔ２が第２所定値α２未満であると判定または推定した場合、低温側冷却水の温度Ｔ２が第２所定値α２以上であると判定または推定した場合と比較して、バイパス流路２６を流れる低温側冷却水の流量割合が増加するように第１切替弁５５および第２切替弁５６の作動を制御する。
【０２４７】
これにより、クーラコア１６を流れる冷却水の温度が低いときに、クーラコア１６を流れる冷却水の流量を低下させることができるので、クーラコア１６のフロスト（着霜）を防止でき、クーラコア１６表面での冷熱ロスを抑制得きる。
【０２４８】
（第６実施形態）
本実施形態では、図１０に示すように、上記第１実施形態における図３のフローチャートに、ステップＳ１０２、Ｓ１０４、Ｓ１０６、Ｓ１０８を追加している。
【０２４９】
具体的には、ステップＳ１００において空調作動スイッチ（Ａ／Ｃスイッチ）がオンされていると判定した場合、ステップＳ１０２へ進み、圧縮機２１を起動する。
【０２５０】
続くステップＳ１０４では、第１冷却水回路Ｃ１（第１回路）の冷却水の温度Ｔ１が第１所定値α１以上であるか否かを判定する。第１冷却水回路Ｃ１（第１回路）の冷却水の温度Ｔ１が第１所定値α１以上であると判定した場合、ステップＳ１０６へ進み、圧縮機２１を停止した後、ステップＳ１１０へ進む。
【０２５１】
一方、第１冷却水回路Ｃ１の冷却水の温度Ｔ１が第１所定値α１以下でないと判定した場合、ステップＳ１０８へ進み、第１ポンプ１１、第２ポンプ１２および室外送風機１７を起動した後、ステップＳ１４０へ進む。
【０２５２】
すなわち、本実施形態では、制御装置４０は、圧縮機２１の起動要求があった場合、まず圧縮機２１を起動し、その後、第１冷却水回路Ｃ１の冷却水の温度Ｔ１が第１所定値α１以上であると判定または推定した場合、圧縮機２１を停止させるとともに第１ポンプ１１を起動し、さらにその後、第１冷却水回路Ｃ１の冷却水の温度Ｔ１が第１所定値α１以下であると判定または推定した場合、再び圧縮機２１を起動する。
【０２５３】
これによると、圧縮機２１の起動要求があった場合に直ちに圧縮機２１を起動しても、第１冷却水回路Ｃ１の冷却水の温度Ｔ１が高ければ圧縮機２１を停止させるとともに第１ポンプ１１を起動して第１冷却水回路Ｃ１の冷却水を冷却する。
【０２５４】
そして、第１冷却水回路Ｃ１の冷却水の温度Ｔ１が第１所定値α１以下であると判定または推定した場合、圧縮機２１を起動するので、上記第１実施形態と同様に、圧縮機２１を起動した際に冷媒の温度および圧力が過度に上昇することを抑制できる。
【０２５５】
（他の実施形態）
上記実施形態を適宜組み合わせ可能である。上記実施形態を例えば以下のように種々変形可能である。
【０２５６】
（１）上記実施形態では、熱媒体として冷却水を用いているが、油などの各種媒体を熱媒体として用いてもよい。
【０２５７】
熱媒体として、ナノ流体を用いてもよい。ナノ流体とは、粒子径がナノメートルオーダーのナノ粒子が混入された流体のことである。ナノ粒子を熱媒体に混入させることで、エチレングリコールを用いた冷却水（いわゆる不凍液）のように凝固点を低下させる作用効果に加えて、次のような作用効果を得ることができる。
【０２５８】
すなわち、特定の温度帯での熱伝導率を向上させる作用効果、熱媒体の熱容量を増加させる作用効果、金属配管の防食効果やゴム配管の劣化を防止する作用効果、および極低温での熱媒体の流動性を高める作用効果を得ることができる。
【０２５９】
このような作用効果は、ナノ粒子の粒子構成、粒子形状、配合比率、付加物質によって様々に変化する。
【０２６０】
これによると、熱伝導率を向上させることができるので、エチレングリコールを用いた冷却水と比較して少ない量の熱媒体であっても同等の冷却効率を得ることが可能になる。
【０２６１】
また、熱媒体の熱容量を増加させることができるので、熱媒体自体の蓄冷熱量（顕熱による蓄冷熱）を増加させることができる。
【０２６２】
蓄冷熱量を増加させることにより、圧縮機２１を作動させない状態であっても、ある程度の時間は蓄冷熱を利用した機器の冷却、加熱の温調が実施できるため、冷凍サイクル装置１０の省動力化が可能になる。
【０２６３】
ナノ粒子のアスペクト比は５０以上であるのが好ましい。十分な熱伝導率を得ることができるからである。なお、アスペクト比は、ナノ粒子の縦×横の比率を表す形状指標である。
【０２６４】
ナノ粒子としては、Ａｕ、Ａｇ、ＣｕおよびＣのいずれかを含むものを用いることができる。具体的には、ナノ粒子の構成原子として、Ａｕナノ粒子、Ａｇナノワイヤー、ＣＮＴ（カーボンナノチューブ）、グラフェン、グラファイトコアシェル型ナノ粒子（上記原子を囲むようにカーボンナノチューブ等の構造体があるような粒子体）、およびＡｕナノ粒子含有ＣＮＴなどを用いることができる。
【０２６５】
（２）上記実施形態の冷媒回路２０では、冷媒としてフロン系冷媒を用いているが、冷媒の種類はこれに限定されるものではなく、二酸化炭素等の自然冷媒や炭化水素系冷媒等を用いてもよい。
【０２６６】
また、上記実施形態の冷媒回路２０は、高圧側冷媒圧力が冷媒の臨界圧力を超えない亜臨界冷凍サイクルを構成しているが、高圧側冷媒圧力が冷媒の臨界圧力を超える超臨界冷凍サイクルを構成していてもよい。
【０２６７】
（３）上記実施形態では、冷凍サイクル装置１０をハイブリッド自動車に適用した例を示したが、エンジンを備えず走行用電動モータから車両走行用の駆動力を得る電気自動車等に冷凍サイクル装置１０を適用してもよい。
【０２６８】
（４）上記第５実施形態では、第１冷却水回路Ｃ１および第２冷却水回路Ｃ２が切替弁５５、５６を介して接続されている構成において、第２冷却水回路Ｃ２の冷却水の温度Ｔ２が第２所定値α２以下であると判定した場合、バイパス流路２６を流れる冷却水の流量割合を増加させるが、上記第１実施形態のように第１冷却水回路Ｃ１および第２冷却水回路Ｃ２が互いに独立している構成においても、第２冷却水回路Ｃ２の冷却水の温度Ｔ２が第２所定値α２以下であると判定した場合、バイパス流路を流れる冷却水の流量割合を増加させるようにしてもよい。
【０２６９】
例えば、上記第１実施形態に対して、バイパス流路とバイパス流路開閉弁とが追加されており、制御装置４０は、第２冷却水回路Ｃ２の冷却水の温度Ｔ２が第２所定値α２以下であると判定した場合、バイパス流路を流れる側冷却水の流量割合を増加させるようにすればよい。
【０２７０】
この構成において、バイパス流路は、第２冷却水回路Ｃ２の冷却水がクーラコア１６をバイパスして流れる流路である。バイパス流路開閉弁は、第２冷却水回路Ｃ２においてクーラコア１６を流れる第２冷却水回路Ｃ２の冷却水と、バイパス流路を流れる第２冷却水回路Ｃ２の冷却水との流量割合を調整する冷却水流量割合調整手段（熱媒体流量割合調整手段）手段である。
【符号の説明】
【０２７１】
１１  第１ポンプ
１４  冷却水冷却器（低圧側熱交換器、空気冷却手段）
１５  冷却水加熱器（高圧側熱交換器）
１６  クーラコア（空気冷却用熱交換器、空気冷却手段）
１８  室内送風機（送風機）
２１  圧縮機
２２  膨張弁（減圧手段）
４０  制御装置（制御手段）
【図１】
2015044569.tif 000003
【図２】
2015044569.tif 000004
【図３】
2015044569.tif 000005
【図４】
2015044569.tif 000006
【図５】
2015044569.tif 000007
【図６】
2015044569.tif 000008
【図７】
2015044569.tif 000009
【図８】
2015044569.tif 000010
【図９】
2015044569.tif 000011
【図１０】
2015044569.tif 000012